(57)【要約】【課題】簡単な構成で文字入力の操作性に優れる装着デバイス、文字入力システム、及び文字入力方法を提供する。【解決手段】文字入力システム１では、装着デバイス１０において、本体部１６に対する周方向操作に応じて文字の選択を行うためのコマンド情報を生成し、本体部１６自体の周方向の回転操作に応じて文字の変換候補の選択を行うためのコマンド情報を生成する。この文字入力システム１では、装着デバイス１０のリング状の本体部１６に周方向操作検出部１０１と回転操作検出部１０２とを設けた簡単な構成で、周方向操作と本体部の回転操作とによって文字の選択及び文字の変換候補の選択といった文字入力に必要な操作を高い操作性で携帯端末２０に送信できる。【選択図】図２
2015191499.tif 000002
【特許請求の範囲】
【請求項１】
ユーザの身体の一部に装着可能なリング状の本体部を備えた装着デバイスであって、
前記本体部に対する周方向操作の入力を検出する周方向操作検出手段と、
前記本体部自体の周方向の回転操作を検出する回転操作検出手段と、
前記周方向操作検出手段によって前記本体部の周方向操作の入力が検出された場合に文字の選択を指示する第１のコマンド情報を生成し、前記回転操作検出手段によって前記本体部自体の周方向の回転操作が検出された場合に前記文字の変換候補の選択を指示する第２のコマンド情報を生成するコマンド情報生成手段と、を備えた装着デバイス。
【請求項２】
押下操作の入力を検出する押下操作検出手段を更に備え、
前記コマンド情報生成手段は、前記押下操作検出手段によって押下操作が検出された場合に文字入力モードの変更を指示する第３のコマンド情報を生成する請求項１記載の装着デバイス。
【請求項３】
前記本体部自体の振動操作を検出する振動操作検出手段を更に備え、
前記コマンド情報生成手段は、振動操作検出手段によって前記本体部自体の振動操作が検出された場合に前記文字の消去を指示する第４のコマンド情報を生成する請求項１又は２記載の装着デバイス。
【請求項４】
前記コマンド情報生成手段で生成された前記各コマンド情報を外部端末に向けて送信するコマンド情報送信手段を更に備えた請求項１〜３のいずれか一項記載の装着デバイス。
【請求項５】
文字入力画面を表示する表示手段と、
前記コマンド情報生成手段で生成された前記各コマンド情報に基づいて前記文字入力画面を制御する文字入力制御手段と、を更に備えた請求項１〜３のいずれか一項記載の装着デバイス。
【請求項６】
請求項１〜４のいずれか一項に記載の装着デバイスと、当該装着デバイスと互いに情報通信可能に接続された通信端末とを備えた文字入力システムであって、
前記通信端末は、
文字入力画面を表示する表示手段と、
前記装着デバイスから前記各コマンド情報を受信するコマンド情報受信手段と、
前記コマンド情報受信手段によって受信された前記各コマンド情報に基づいて前記文字入力画面を制御する文字入力制御手段と、を備えた文字入力システム。
【請求項７】
ユーザの身体の一部に装着可能なリング状の本体部を備えた装着デバイスを用いた文字入力方法であって、
前記本体部に対する周方向操作の入力を検出する周方向操作検出ステップと、
前記本体部自体の周方向の回転操作を検出する回転操作検出ステップと、
前記本体部の周方向操作の入力が検出された場合に文字の選択を指示する第１のコマンド情報を生成し、前記本体部自体の周方向の回転操作が検出された場合に前記文字の変換候補の選択を指示する第２のコマンド情報を生成するコマンド情報生成ステップと、
前記各コマンド情報に基づいて表示手段における文字入力画面を制御する文字入力制御ステップと、を備えた文字入力方法。
【発明の詳細な説明】
【技術分野】
【０００１】
本発明は、装着デバイス、文字入力システム、及び文字入力方法に関する。
【背景技術】
【０００２】
近年、眼鏡型や腕時計型といったユーザの体の一部に装着可能な装着デバイスの開発が盛んになってきている。このような装着デバイスは、例えばユーザの生体情報の検出による健康管理、或いはユーザへの地図情報等の提示といった各種機能への展開により、利便性の向上が非常に期待されている。
【０００３】
また、装着デバイスを文字入力装置とし、ユーザの所有するパーソナルコンピュータや携帯電話機等の電子機器に遠隔で文字を入力する技術も検討されている。例えば特許文献１には、指輪型のデバイスにＸＹ２軸のジャイロを搭載した手書き文字入力装置が記載されている。この文字入力装置では、ジャイロによって手の指又は手自体の上下左右の角速度を検出し、ユーザが描いた手書き文字を認識・入力するようになっている。
【０００４】
また、特許文献２には、ユーザの各指に装着させる指輪型の装着デバイスからなる文字処理装置が記載されている。この文字処理装置では、加速度等によって各指の打鍵動作を検出し、検出結果に基づいて携帯型コンピュータへの文字入力を行うようになっている。
【先行技術文献】
【特許文献】
【０００５】
【特許文献１】特開２００１−２３６１７４号公報
【特許文献２】特開２０００−２２２４１５号公報
【発明の概要】
【発明が解決しようとする課題】
【０００６】
上述したような装着デバイスを利用した文字入力装置は、文字入力等の利便性を向上するものであるが、特許文献１に記載の装置では、ユーザの動作の正確性が要求されるほか、装置側でもユーザが行った手書き動作の認識精度を確保するための複雑な処理が必要となることが考えられる。また、特許文献２に記載の装置では、各指に装着デバイスを装着する必要があるので、装着が煩雑となり、装着時の操作性にも問題が生じるおそれがある。
【０００７】
本発明は、上記課題の解決のためになされたものであり、簡単な構成で文字入力の操作性に優れる装着デバイス、文字入力システム、及び文字入力方法を提供することを目的とする。
【課題を解決するための手段】
【０００８】
上記課題の解決のため、本発明に係る装着デバイスは、ユーザの身体の一部に装着可能なリング状の本体部を備えた装着デバイスであって、本体部に対する周方向操作の入力を検出する周方向操作検出手段と、本体部自体の周方向の回転操作を検出する回転操作検出手段と、周方向操作検出手段によって本体部の周方向操作の入力が検出された場合に文字の選択を指示する第１のコマンド情報を生成し、回転操作検出手段によって本体部自体の周方向の回転操作が検出された場合に文字の変換候補の選択を指示する第２のコマンド情報を生成するコマンド情報生成手段と、を備える。
【０００９】
この装着デバイスでは、本体部に対する周方向操作に応じて文字の選択を行うための第１のコマンド情報を生成し、本体部自体の周方向の回転操作に応じて文字の変換候補の選択を行うための第２のコマンド情報を生成する。この装着デバイスでは、リング状の本体部に周方向操作検出手段と回転操作検出手段とを設けた簡単な構成で、周方向操作と本体部の回転操作とによって文字の選択及び文字の変換候補の選択といった文字入力に必要な操作を高い操作性で実行できる。
【００１０】
また、装着デバイスは、押下操作の入力を検出する押下操作検出手段を更に備え、コマンド情報生成手段は、押下操作検出手段によって押下操作が検出された場合に文字入力モードの変更を指示する第３のコマンド情報を生成してもよい。この場合、押下操作に応じて文字入力モードの変更を実行でき、文字入力の操作性を更に高めることができる。
【００１１】
また、装着デバイスは、本体部自体の振動操作を検出する振動操作検出手段を更に備え、コマンド情報生成手段は、振動操作検出手段によって本体部自体の振動操作が検出された場合に文字の消去を指示する第４のコマンド情報を生成してもよい。この場合、振動操作に応じて文字の消去を実行でき、文字入力の操作性を更に高めることができる。
【００１２】
また、装着デバイスは、コマンド情報生成手段で生成された各コマンド情報を外部端末に向けて送信するコマンド情報送信手段を更に備えてもよい。この場合、装着デバイスを用いて外部端末に対して高い操作性で遠隔に文字入力を実行できる。
【００１３】
また、装着デバイスは、文字入力画面を表示する表示手段と、コマンド情報生成手段で生成された各コマンド情報に基づいて文字入力画面を制御する文字入力制御手段と、を更に備えていてもよい。この場合、装着デバイスの表示手段に対して高い操作性で文字入力を実行できる。
【００１４】
また、本発明に係る文字入力システムは、上記装着デバイスと、当該装着デバイスと互いに情報通信可能に接続された通信端末とを備えた文字入力システムであって、通信端末は、文字入力画面を表示する表示手段と、装着デバイスから各コマンド情報を受信するコマンド情報受信手段と、コマンド情報受信手段によって受信された各コマンド情報に基づいて文字入力画面を制御する文字入力制御手段と、を備える。
【００１５】
この文字入力システムでは、本体部に対する周方向操作に応じて文字の選択を行うための第１のコマンド情報を生成し、本体部自体の周方向の回転操作に応じて文字の変換候補の選択を行うための第２のコマンド情報を生成する。この文字入力システムでは、装着デバイスにおけるリング状の本体部に周方向操作検出手段と回転操作検出手段とを設けた簡単な構成で、周方向操作と本体部の回転操作とによって文字の選択及び文字の変換候補の選択といった文字入力に必要な操作を高い操作性で外部端末に送信できる。
【００１６】
また、本発明に係る文字入力方法は、ユーザの身体の一部に装着可能なリング状の本体部を備えた装着デバイスを用いた文字入力方法であって、本体部に対する周方向操作の入力を検出する周方向操作検出ステップと、本体部自体の周方向の回転操作を検出する回転操作検出ステップと、本体部の周方向操作の入力が検出された場合に文字の選択を指示する第１のコマンド情報を生成し、本体部自体の周方向の回転操作が検出された場合に文字の変換候補の選択を指示する第２のコマンド情報を生成するコマンド情報生成ステップと、各コマンド情報に基づいて表示手段における文字入力画面を制御する文字入力制御ステップと、を備える。
【００１７】
この文字入力方法では、本体部に対する周方向操作に応じて文字の選択を行うための第１のコマンド情報を生成し、本体部自体の周方向の回転操作に応じて文字の変換候補の選択を行うための第２のコマンド情報を生成する。この文字入力方法では、リング状の本体部に周方向操作検出手段と回転操作検出手段とを設けた簡単な構成で、周方向操作と本体部の回転操作とによって文字の選択及び文字の変換候補の選択といった文字入力に必要な操作を高い操作性で実行できる。
【発明の効果】
【００１８】
本発明によれば、簡単な構成で文字入力の操作性が優れたものとなる。
【図面の簡単な説明】
【００１９】
【図１】本発明の一実施形態に係る文字入力システムの構成を示す図である。
【図２】図１に示した文字入力システムの機能的な構成要素を示すブロック図である。
【図３】文字の選択の様子を示す図である。
【図４】文字の変換候補の選択の様子を示す図である。
【図５】文字入力モードの変更の様子を示す図である。
【図６】文字の消去の様子を示す図である。
【図７】変形例に係る文字入力システムの機能的な構成要素を示すブロック図である。
【発明を実施するための形態】
【００２０】
以下、図面を参照しながら、本発明に係る装着デバイス、文字入力システム、及び文字入力方法の好適な実施形態について詳細に説明する。
【００２１】
図１は、本発明の一実施形態に係る文字入力システムの構成を示す図である。同図に示すように、文字入力システム１は、例えばユーザの手首に装着可能な装着デバイス１０と、ユーザが所有する携帯端末（外部端末）２０とを備えている。この文字入力システム１は、装着デバイス１０に所定の操作を入力することにより、携帯端末２０の文字入力画面に遠隔で文字入力を行う機能を有している。
【００２２】
装着デバイス１０は、例えばバンド型の本体部１６を有している。本体部１６の外側面には、例えばタッチパネル１１と、押釦１２，１３とが設けられている。タッチパネル１１は、感圧式又は静電式のいずれであってもよく、例えば本体部１６の周方向に所定の長さで配置されている。押釦１２，１３は、例えばタッチパネル１１の両側にそれぞれ配置されている。また、本体部１６の内部には、例えばジャイロセンサ１４と、加速度センサ１５とが設けられている。装着デバイス１０は、例えばＢｌｕｅｔｏｏｔｈ（登録商標）などの近距離無線通信により、携帯端末２０との間で互いに情報通信可能となっている。
【００２３】
携帯端末２０は、物理的には、ＣＰＵ（中央処理装置）、メモリといった記憶装置、プッシュボタンといった入力装置、ディスプレイといった表示装置等を有している。また、通話機能に加え、ＷＥＢページに接続して閲覧する機能、電子メール送信機能等を含む各種データ通信機能等を有している。
【００２４】
図２は、文字入力システム１の機能的な構成要素を示すブロック図である。同図に示すように、装着デバイス１０は、周方向操作検出部（周方向操作検出手段）１０１と、回転操作検出部（回転操作検出手段）１０２と、押下操作検出部（押下操作検出手段）１０３と、振動操作検出部（振動操作検出手段）１０４と、コマンド情報生成部（コマンド情報生成手段）１０５と、コマンド情報送信部（コマンド情報送信手段）１０６とを備えている。
【００２５】
周方向操作検出部１０１は、本体部１６に対する周方向操作の入力を検出する部分である。この周方向操作検出部１０１は、例えばタッチパネル１１と接続され、ユーザの指などによるタッチパネル１１への操作を検出する。周方向操作検出部１０１は、タッチパネル１１に対する本体部１６の周方向のスライド操作を検出した場合に、検出結果を示す検出結果情報をコマンド情報生成部１０５に出力する。
【００２６】
回転操作検出部１０２は、本体部１６自体の周方向の回転操作を検出する部分である。この回転操作検出部１０２は、例えばジャイロセンサ１４と接続され、ユーザによる本体部１６の周方向（ここではユーザの手首回り方向）の本体部１６の回転を検出する。回転操作検出部１０２は、本体部１６自体の周方向の回転操作を検出した場合に、検出結果を示す検出結果情報をコマンド情報生成部１０５に出力する。
【００２７】
押下操作検出部１０３は、押下操作の入力を検出する部分である。この押下操作検出部１０３は、例えば押釦１２，１３と接続され、ユーザによる押釦１２，１３の押下操作を検出する。押下操作検出部１０３は、押釦１２，１３の押下操作を検出した場合に、それぞれの検出結果を示す検出結果情報をコマンド情報生成部１０５に出力する。
【００２８】
振動操作検出部１０４は、本体部１６自体の振動操作を検出する部分である。この振動操作検出部１０４は、例えば加速度センサ１５と接続され、ユーザによる本体部１６の振動動作（例えば本体部を振る動作）を検出する。振動操作検出部１０４は、本体部１６自体の振動動作を検出した場合に、検出結果を示す検出結果情報をコマンド情報生成部１０５に出力する。
【００２９】
コマンド情報生成部１０５は、周方向操作検出部１０１、回転操作検出部１０２、押下操作検出部１０３、及び振動操作検出部１０４の検出結果に基づいて文字入力に関するコマンド情報を生成する部分である。コマンド情報生成部１０５は、周方向操作検出部１０１から検出結果情報を受け取った場合には、文字の選択を指示するコマンド情報（第１のコマンド情報）を生成する。コマンド情報生成部１０５は、回転操作検出部１０２から検出結果情報を受け取った場合には、第１のコマンド情報で選択された文字の変換候補の選択を指示するコマンド情報（第２のコマンド情報）を生成する。
【００３０】
また、コマンド情報生成部１０５は、押下操作検出部１０３から押釦１２の押下がなされた旨の検出結果情報を受け取った場合には、文字入力モードの変更を指示するコマンド情報（第３のコマンド情報）を生成し、押下操作検出部１０３から押釦１３の押下がなされた旨の検出結果情報を受け取った場合には、選択の決定を指示するコマンド情報を生成する。コマンド情報生成部１０５は、振動操作検出部１０４から検出結果情報を受け取った場合には、文字の消去を指示するコマンド情報（第４のコマンド情報）を生成する。コマンド情報生成部１０５は、生成したコマンド情報をコマンド情報送信部１０６に出力する。
【００３１】
コマンド情報送信部１０６は、コマンド情報を携帯端末２０に送信する部分である。コマンド情報送信部１０６は、コマンド情報生成部１０５から受け取ったコマンド情報を携帯端末２０に送信する。
【００３２】
一方、携帯端末２０は、機能的な構成要素として、コマンド情報受信部（コマンド情報受信手段）２０１と、表示部（表示手段）２０２と、文字入力制御部（文字入力制御手段）２０３と、文字変換候補データベース２０４とを備えている。
【００３３】
表示部２０２は、例えばタッチパネルディスプレイ等によって構成されている。表示部２０２には、ユーザの所定の操作により、文書作成、メール作成、或いはインターネット検索などに用いられる文字入力画面が表示される。
【００３４】
コマンド情報受信部２０１は、装着デバイス１０から各コマンド情報を受信する部分である。コマンド情報受信部２０１は、装着デバイス１０から受信したコマンド情報を文字入力制御部２０３に出力する。
【００３５】
文字入力制御部２０３は、コマンド情報受信部２０１で受信された各コマンド情報に基づいて文字入力画面を制御する部分である。図３は、文字の選択の様子を示す図である。同図に示す例では、文字入力画面に円形の文字テーブルＴが表示され、文字テーブルＴの周縁部に沿って選択可能な文字が所定の間隔で配列されている。文字テーブルＴの所定位置には、選択カーソルＣが表示されている。
【００３６】
文字入力制御部２０３は、文字の選択を指示するコマンド情報を受け取った場合に、文字テーブルＴを回転させ、所定の文字を選択カーソルＣの位置に位置させる。また、文字入力制御部２０３は、選択の決定を指示するコマンド情報を受け取った場合に、選択カーソルＣの位置に位置している文字を文字入力画面に入力する。
【００３７】
文字入力画面に文字が入力されると、文字入力制御部２０３は、文字変換候補データベース２０４を参照し、入力された文字の変換候補を文字入力画面に表示する。図４は、文字の変換候補の選択の様子を示す図である。同図に示す例では、文字入力画面Ｇに入力された「あ」という文字に対し、「ある」「ありました」「明日」「アンテナ」…といった変換候補が表示されている。
【００３８】
文字入力制御部２０３は、文字の変換候補の選択を指示するコマンド情報を受け取った場合に、変換候補の選択カーソルＤを移動して、所定の変換候補の位置に位置させる。また、文字入力制御部２０３は、選択の決定を指示するコマンド情報を受け取った場合に、選択カーソルＤの位置に位置している変換候補を文字入力画面Ｇに入力する。
【００３９】
図５は、文字入力モードの変更の様子を示す図である。同図に示す例では、例えば平仮名の文字テーブルＴ１、片仮名の文字テーブルＴ２、数字・記号の文字テーブルＴ３、及びアルファベットの文字テーブルＴ４が重なり合うように表示されている。文字入力制御部２０３は、文字入力モードの変更を指示するコマンド情報を受け取った場合に、これらの文字テーブルＴの表示順序を変更し、選択された文字入力モードに対応する文字テーブルＴを最前列に表示する。
【００４０】
図６は、文字の消去の様子を示す図である。同図に示す例では、文字入力画面Ｇに「明日」という文字が入力されている。文字入力制御部２０３は、文字の消去を指示するコマンド情報を受け取った場合に、文字入力画面Ｇに入力されている文字を消去する。図６に示す例では、「明日」の文字のうち「日」が文字入力画面から消去される。
【００４１】
以上説明したように、文字入力システム１では、装着デバイス１０において、本体部１６に対する周方向操作に応じて文字の選択を行うためのコマンド情報を生成し、本体部１６自体の周方向の回転操作に応じて文字の変換候補の選択を行うためのコマンド情報を生成する。この文字入力システム１では、装着デバイス１０のリング状の本体部１６に周方向操作検出部１０１と回転操作検出部１０２とを設けた簡単な構成で、周方向操作と本体部の回転操作とによって文字の選択及び文字の変換候補の選択といった文字入力に必要な操作を高い操作性で携帯端末２０に送信できる。
【００４２】
また、文字入力システム１では、装着デバイス１０において、押下操作に応じて文字入力モードの変更を行うためのコマンド情報と、振動操作に応じて文字の消去を行うためのコマンド情報等を生成する。これにより、文字入力の操作性を更に高められている。
【００４３】
本発明は、上記実施形態に限られるものではない。例えば上記実施形態では、装着デバイス１０の本体部１６にタッチパネル１１を設け、タッチパネル１１に対する本体部１６の周方向のスライド操作によって周方向操作を検出しているが、タッチパネル１１に代えてジョグダイヤルを本体部１６の周方向に回転するように設け、ジョグダイヤルの操作によって周方向操作を検出するようにしてもよい。
【００４４】
また、本体部１６に対する周方向操作及び本体部１６自体の回転操作の操作速度を検出し、検出した操作速度に応じて文字テーブルＴの回転速度や文字の変換候補の選択速度などを設定してもよい。
【００４５】
また、上記実施形態では、コマンド情報生成部１０５で生成されたコマンド情報を携帯端末２０に送信しているが、装着デバイス１０に表示部を設け、装着デバイス１０のみで文字入力システムを構成してもよい。図７は、当該変形例に係る文字入力システムの機能的な構成要素を示すブロック図である。
【００４６】
同図に示すように、変形例に係る文字入力システム２では、装着デバイス１０において、本体部１６にタッチパネルディスプレイなどの表示部（表示手段）３０１が設けられると共に、文字入力制御部２０３と同様の文字入力制御部（文字入力制御手段）３０２と、文字変換候補データベース２０４と同様の文字変換候補データベース３０３とが設けられている。また、装着デバイス１０は、コマンド情報送信部１０６を備えず、コマンド情報生成部１０５で生成された各コマンド情報は、文字入力制御部３０２に出力される。このような文字入力システム２においても、上記実施形態と同様に、簡単な構成で文字の選択及び文字の変換候補の選択といった文字入力に必要な操作を実行できる。
【００４７】
また、上記実施形態では、手首に装着するバンド型の装着デバイス１０を例示したが、装着デバイス１０は、指に装着する指輪型などのように、ユーザの身体の他の部位に装着可能であってもよい。さらに、上記実施形態では、外部端末として、スマートフォン・タブレットのような携帯端末２０を例示したが、眼鏡型端末のような装着デバイスを外部端末としてもよい。
【００４８】
また、上記実施形態では、装着デバイス１０に操作を入力する手段として、周方向操作検出部１０１と回転操作検出部１０２とを例示したが、これらの検出部を本体部１６にそれぞれ複数設けてもよい。この場合、複数の周方向操作検出部１０１として例えば複数のタッチパネル若しくはジョグダイヤルを本体部１６に設けてもよく、複数の回転操作検出部１０２として例えば本体部１６の周方向に回転可能な互いに独立した複数の回転機構を本体部１６に設けてもよい。
【符号の説明】
【００４９】
１，２…文字入力システム、１０…装着デバイス、２０…携帯端末（外部端末）、１６…本体部、１０１…周方向操作検出部（周方向操作検出手段）、１０２…回転操作検出部（回転操作検出手段）、１０３…押下操作検出部（押下操作検出手段）、１０４…振動操作検出部（振動操作検出手段）、１０５…コマンド情報生成部（コマンド情報生成手段）、１０６…コマンド情報送信部（コマンド情報送信手段）、２０１…コマンド情報受信部（コマンド情報受信手段）、２０２，３０１…表示部（表示手段）、２０３，３０２…文字入力制御部（文字入力制御手段）。
【図１】
2015191499.tif 000003
【図２】
2015191499.tif 000004
【図３】
2015191499.tif 000005
【図４】
2015191499.tif 000006
【図５】
2015191499.tif 000007
【図６】
2015191499.tif 000008
【図７】
2015191499.tif 000009